(57)【要約】【課題】容器の全長内で粘着テープを切断した封緘製品を製造すること。【解決手段】容器Ｐの側端縁Ｐ２に貼り付けられた粘着テープＴの縁部にノッチを入れるノッチ付与部３と、粘着テープＴにテンションを付与して前記ノッチより粘着テープＴを切断するテンション付与部とを備える、粘着テープ切断装置１を提供する。また、容器Ｐの側端縁Ｐ２に貼り付けられた粘着テープＴの縁部にノッチを入れるステップと、粘着テープＴにテンションを付与して前記ノッチより粘着テープを切断するステップとを備える、封緘製品の製造方法を提供する。本発明に係る粘着テープ切断装置および封緘製品の製造方法であれば、容器の全長内で粘着テープを切断した封緘製品を製造することができる。【選択図】図１
2019089569.tif 000002
【特許請求の範囲】
【請求項１】
容器の側端縁に貼り付けられた粘着テープの縁部にノッチを入れるノッチ付与部と、
粘着テープにテンションを付与して前記ノッチより粘着テープを切断するテンション付与部とを備える、粘着テープ切断装置。
【請求項２】
前記テンション付与部は、容器の側端縁に粘着テープを貼り付け、粘着テープと容器を所定方向へ送り出してから減速または停止するピンチローラーである、請求項１に記載の粘着テープ切断装置。
【請求項３】
前記テンション付与部は、容器を所定方向へ搬送するコンベヤである、請求項１に記載の粘着テープ切断装置。
【請求項４】
前記テンション付与部は、容器または粘着テープに所定方向の力を加える加力部材である、請求項１に記載の粘着テープ切断装置。
【請求項５】
容器の側端縁に貼り付けられた粘着テープの縁部にノッチを入れるステップと、
粘着テープにテンションを付与して前記ノッチより粘着テープを切断するステップとを備える、封緘製品の製造方法。
【請求項６】
連続して繰り出される粘着テープによって封緘製品を製造する方法であって、
容器を搬送するステップと、
容器の側端縁に粘着テープを貼り付けるステップと、
容器の搬送方向に沿って粘着テープを送り出すステップと、
粘着テープの送り出しを減速または停止するステップと、
送り出された粘着テープの縁部にノッチを入れるステップと、
粘着テープにテンションを付与して前記ノッチより粘着テープを切断するステップとを備える、封緘製品の製造方法。
【発明の詳細な説明】
【技術分野】
【０００１】
本発明は、連続して繰り出される粘着テープの切断装置および封緘製品の製造方法に関するものである。
【背景技術】
【０００２】
本発明に係る粘着テープ切断装置の従来例として、卵用の包装容器の側端縁に貼り付けられた粘着テープを切断する粘着テープ切断装置がある（たとえば、特許文献１または２参照）。また、卵用の包装容器には、図６，７に示すような合成樹脂製の透明容器（以下、「従来型容器Ｑ」という。）が存在する。
【０００３】
図６，７に示すように、従来型容器Ｑは蓋と本体とがヒンジＱ４を介して一体的に形成されている。従来の粘着テープ切断装置１０１は、ベルトコンベヤ１０７によって容器搬送方向Ｘの上流側から連続して搬送される従来型容器Ｑおよび後続の従来型容器Ｑ'に対し、光学センサである前端検出センサ１０５が従来型容器Ｑの前端Ｑ１を検出したタイミングで、ピンチローラー１０２を回転させる電動モーター（図示せず）を駆動させる。
【０００４】
電動モーターが駆動してピンチローラー１０２が回転を開始すると、ピンチローラー１０２に挟まれている粘着テープＴがピンチローラー１０２に引き込まれ、テープドラム（図示せず）から粘着テープＴが連続して繰り出される。粘着テープＴはテープドラムから粘着テープ操出方向Ｙへ繰り出され、粘着テープ転向ガイド１０４によってピンチローラー１０２へ案内される。
【０００５】
ピンチローラー１０２は粘着テープＴの粘着面を谷折りにしながら、粘着テープＴの粘着面で従来型容器Ｑの側端縁Ｑ２を挟み込んで圧着し、従来型容器Ｑの側端縁Ｑ２に粘着テープＴを貼り付けて容器搬送方向Ｘに沿って送り出す。
【０００６】
ピンチローラー１０２によって側端縁Ｑ２に粘着テープＴが貼り付けられた従来型容器Ｑは、図６，７に示す位置まで送り出されると、光学センサである後端検出センサ１０６によって後端Ｑ３が検出される。後端検出センサ１０６が後端Ｑ３を検出したタイミングで、ピンチローラー１０２を回転させていた電動モーターが駆動を停止する。
【０００７】
電動モーターが駆動を停止すると、カッター１０３を前進および後退させるアーム（図示せず）がカッター１０３を前進させる方向へ駆動を開始する。図７に示すように、二点鎖線で表された位置から、実線で表された位置までカッター１０３を前進させることで、粘着テープＴの切断が完了する。その後、同様に粘着テープＴが貼り付けられた後続の従来型容器Ｑ'に対しても従来の粘着テープ切断装置１０１によって粘着テープＴの切断が行われる。
【０００８】
従来の粘着テープ切断装置１０１によって粘着テープＴが切断された従来型容器Ｑ、Ｑ'は、封緘製品としてベルトコンベヤ１０７によって容器搬送方向Ｘの下流側へ搬送され、下流側に設けられた集合場所（図示せず）で、キャスター付きのラックや段ボール箱等に詰められて出荷される。
【０００９】
封緘製品には、粘着テープＴの粘着面が谷折りに圧着された摘み部Ｕが形成されている。この摘み部Ｕは、消費者が従来型容器Ｑから粘着テープＴを引き剥がすときに指で摘まみやすいように前端Ｑ１から前方に１０mm〜２０mm程度の長さと、後端Ｑ３から後方に１０mm〜２０mm程度の長さとなっている。これにより、従来型容器Ｑの封緘に用いられる粘着テープＴの長さは、容器Ｑの全長（前端Ｑ１から後端Ｑ３までの長さ）に２０mm〜４０mm程度を足した長さとなっている。
【先行技術文献】
【特許文献】
【００１０】
【特許文献１】特開平０６−２９３３７４号公報
【特許文献２】特開２０１０−０３６９５７号公報
【特許文献３】特許第５８７４７９５号公報
【発明の概要】
【発明が解決しようとする課題】
【００１１】
近年、卵の包装には、従来型容器Ｑに限らず、新しいタイプの容器が用いられている。たとえば、粘着テープＴを貼り付けるための側端縁が、容器の全長よりも短く形成されている容器が新たに登場している（たとえば、特許文献３参照）。
【００１２】
このような新しいタイプの容器（以下、「容器Ｐ」という。）は、図１，２に示すように、粘着テープＴが貼り付けられる側端縁Ｐ２の長さが、容器Ｐの全長（前端Ｐ１から後端Ｐ３までの長さ）に比べて短く形成されている。これにより、容器Ｐの封緘に用いられる粘着テープＴを容器Ｐの全長よりも短くすることが可能であり、封緘に必要な粘着テープＴの量を従来型容器Ｑよりも節約することができる。
【００１３】
ところが、特許文献３には、容器の封緘に用いられる粘着テープを容器の全長内で切断したものが開示されているが、どのように容器の全長内で粘着テープを切断するかについては開示されていない。また、図６，７に示す従来の粘着テープ切断装置１０１では、容器の全長内で粘着テープを切断すると、容器Ｐを傷つける恐れがある。
【００１４】
本発明は、上記課題を解決するもので、その目的は、容器の全長内で粘着テープを切断した封緘製品を製造することである。
【課題を解決するための手段】
【００１５】
上述の課題を解決するために、容器の側端縁に貼り付けられた粘着テープの縁部にノッチを入れるノッチ付与部と、粘着テープにテンションを付与して前記ノッチより粘着テープを切断するテンション付与部とを備える、粘着テープ切断装置を提供する。
【００１６】
また、容器の側端縁に貼り付けられた粘着テープの縁部にノッチを入れるステップと、粘着テープにテンションを付与して前記ノッチより粘着テープを切断するステップとを備える、封緘製品の製造方法を提供する。
【発明の効果】
【００１７】
本発明に係る粘着テープ切断装置および封緘製品の製造方法であれば、容器の全長内で粘着テープを切断した封緘製品を製造することができる。
【図面の簡単な説明】
【００１８】
【図１】本発明の第１の実施の形態に係る粘着テープ切断装置の構成を示す概略斜視図である。
【図２】本発明の第１の実施の形態に係る粘着テープ切断装置の構成を示す概略平面図である。
【図３】本発明の第１の実施の形態に係る粘着テープ切断装置の動作を示す概略平面図である。
【図４】本発明の第１の実施の形態に係る粘着テープ切断装置の動作フローを示す図である。
【図５】本発明の第２の実施の形態に係る粘着テープ切断装置の構成を示す概略平面図である。
【図６】従来の粘着テープ切断装置の構成を示す概略斜視図である。
【図７】従来の粘着テープ切断装置の構成を示す概略平面図である。
【発明を実施するための形態】
【００１９】
（容器）
本実施の形態に係る容器の例として、図１，２等に示す容器Ｐについて説明する。容器Ｐは、全体が透明な合成樹脂で構成されている卵用の包装容器であり、包装対象である卵を収容する本体と、本体にヒンジＰ４を介して一体的に形成された蓋と、容器Ｐを封緘する際に粘着テープＴを貼り付けるために本体および蓋のそれぞれに形成されている側端縁Ｐ２とで構成されている。容器Ｐの側端縁Ｐ２は、容器Ｐの全長（前端Ｐ１から後端Ｐ３までの長さ）よりも短く形成されている。
【００２０】
容器Ｐは包装対象を卵としているが、本実施の形態に係る粘着テープ切断装置は、側端縁を有する容器であって、容器の全長よりも側端縁が短く形成されている容器に対応する。したがって、容器は卵を包装対象とするものに限らず、容器の全長よりも側端縁が短く形成されていれば、側端縁の形状も図示したものに限らない。
【００２１】
（封緘製品）
本発明の実施の形態に係る封緘製品とは、物品が詰められた容器に、連続して繰り出される粘着テープが貼り付けられた後、粘着テープが切り離されて封緘が完了したものを指す。
【００２２】
（第１の実施の形態）
以下、本発明の第１の実施の形態に係る粘着テープ切断装置１について説明する。本実施の形態にかかる粘着テープ切断装置１は、図１，２に示すように、容器Ｐを容器搬送方向Ｘへ搬送するコンベヤ７に設けられている。粘着テープ切断装置１は、コンベヤ７によって搬送中の容器Ｐの本体または蓋を検出するための光学センサである第１検出部５および第２検出部６と、容器Ｐの側端縁Ｐ２に粘着テープＴを圧着し、粘着テープＴを容器搬送方向Ｘに沿って送り出してから減速または停止するピンチローラー２と、ピンチローラー２に送り出された粘着テープＴに幅方向の一端から他端に達しないノッチを入れるノッチ付与部３とを備えている。なお、本実施の形態に係るノッチとは、粘着テープＴの縁に局部的にできた裂け目を指す。
【００２３】
はじめに、コンベヤ７について説明する。図１に示すように、本実施の形態に係るコンベヤ７は、容器Ｐおよび容器Ｐ'を容器搬送方向Ｘへ連続して搬送するためのベルトコンベヤであり、粘着テープ切断装置１が封緘を行っている間は停止することなく駆動している。コンベヤ７には、容器Ｐを案内するガイドが設けられているが、本願に添付の図面ではガイドを省略してコンベヤ７を描いている。本実施の形態に係るコンベヤ７はベルトコンベヤであるが、容器Ｐを搬送方向Ｘへ搬送する機能を有していればよいので、ベルトコンベヤに限らず様々な種類のコンベヤを用いることができる。
【００２４】
次に、第１検出部５について説明する。図１，２に示すように、本実施の形態に係る第１検出部５は光学式の近接センサであり、コンベヤ７によって容器搬送方向Ｘの上流側から搬送されてきた容器Ｐの本体または蓋を検出するように構成されている。第１検出部５は、容器Ｐが検出範囲に入ると制御部（図示せず）にＯＮ信号を送信し、容器Ｐが検出範囲から外れると制御部にＯＦＦ信号を送信する。第１検出部５から送信される信号を受信した制御部は後述するピンチローラー２およびノッチ付与部３の駆動を制御するように構成されている。
【００２５】
次に、第２検出部６について説明する。図１，２に示すように、本実施の形態に係る第２検出部６は、第１検出部５と同様に光学式の近接センサであり、コンベヤ７によって容器搬送方向Ｘの上流側から搬送されてきた容器Ｐの本体または蓋を検出するように構成されている。第２検出部６は、容器Ｐが検出範囲に入ると制御部にＯＮ信号を送信し、容器Ｐが検出範囲から外れると制御部にＯＦＦ信号を送信する。第２検出部６から送信される信号を受信した制御部は後述するノッチ付与部３の駆動を制御するように構成されている。
【００２６】
第１検出部５および第２検出部６は、いずれも光学式の近接センサであるが、コンベヤ７によって容器搬送方向Ｘの上流側から搬送されてきた容器Ｐの本体または蓋を検出する機能を有していればよいので、光学式の近接センサに限らず様々な種類のセンサを用いることができる。
【００２７】
次に、ピンチローラー２について説明する。図１，２に示すように、本実施の形態に係るピンチローラー２は、テープドラム（図示せず）から連続して繰り出される粘着テープＴの粘着面を谷折りにしながら、粘着テープＴの粘着面で容器Ｐの側端縁Ｐ２を挟み込んで圧着し、容器Ｐの側端縁Ｐ２に粘着テープＴを貼り付けて容器搬送方向Ｘに沿って送り出すように構成されている。制御部は、第１検出部５から送信された信号に基づいて、ピンチローラー２を回転させる電動モーターの駆動を制御する。なお、本願に添付した図面では電動モーターを省略してピンチローラー２のみを描いている。
【００２８】
次に、ノッチ付与部３について説明する。図１，２に示すように、本実施の形態に係るノッチ付与部３はピンチローラー２に送り出された粘着テープＴにノッチを入れる円形刃のカッターを有しており、さらに、ノッチ付与部３はカッターを前進および後退させるアームと、アームを駆動する電動モーターを有している。制御部は、第１検出部５から送信された信号に基づいて、ノッチ付与部３が有する電動モーターの駆動を制御する。なお、本願に添付した図面ではアームおよび電動モーターを省略してカッターのみを描いている。
【００２９】
本実施の形態に係るノッチ付与部３は、図２に示すように、二点鎖線で表された位置から、実線で表された位置までカッターを前進させることで粘着テープＴにノッチを入れるように構成されている。このとき、カッターの刃は、粘着テープＴの幅方向の一端から他端に達しない位置までしか前進せず、カッターの刃が容器Ｐに接触しない。
【００３０】
ノッチ付与部３によって、幅方向の一端から他端に達しないノッチが入れられた粘着テープＴは、ピンチローラー２が減速または停止することで容器搬送方向Ｘの向きに働く容器Ｐの慣性力により粘着テープＴの長手方向に付与されるテンション、容器Ｐとコンベヤ７の間の摩擦力により粘着テープＴの長手方向に付与されるテンションもしくは容器搬送方向Ｘの上流側の容器Ｐ'がコンベヤ７によって搬送されることで、前端Ｐ'１が容器Ｐの後端Ｐ３に接触して搬送方向Ｘへ押す力により粘着テープＴの長手方向に付与されるテンションのうちの一つのテンションまたは二つ以上のテンションの組み合わせによって、ノッチ部分から破断することにより切断される。すなわち、本実施の形態ではピンチローラー２またはコンベヤ７の少なくとも一方がテンション付与部として作用している。
【００３１】
本実施の形態に係るノッチ付与部３は、円形刃のカッターを用いて粘着テープＴの縁部にノッチを入れているが、ノッチ付与部３は粘着テープＴの幅方向の一端から他端に達しない位置までノッチを入れる機能を有していればよいので、円形刃のカッターに限らず様々な種類のカッターを用いることができる。また、カッターを前進させる方向も粘着テープＴの幅方向に限らず、たとえば粘着テープＴの鉛直上側の位置から、鉛直下側の位置に前進させてもよいし、粘着テープＴの鉛直下側の位置から、鉛直上側の位置に前進させてもよい。
【００３２】
次に、本実施の形態に係る粘着テープ切断装置１が、封緘製品を製造するときの粘着テープ切断装置１の動作について図３，４を用いて説明する。容器搬送方向Ｘの上流側では、容器Ｐに卵を詰める装置（図示せず）によって容器Ｐの本体に卵が詰められた後、容器Ｐの蓋がヒンジＰ４を軸として回転することで閉じられた状態となり、容器搬送方向Ｘへ搬送される。
【００３３】
蓋が閉じられた状態の容器Ｐはコンベヤ７に設けられているガイド（図示せず）によって蓋が閉じられた状態を保ったまま、図３（ａ）に示す位置を通過する。容器Ｐが図３（ｂ）に示す位置まで搬送されると、容器Ｐの本体または蓋が第１検出部５の検出範囲に入ることで、制御部が第１検出部５からのＯＮ信号を受信する（Ｓ１）。ＯＮ信号を受信した制御部は、ピンチローラー２の電動モーターの駆動を開始させる（Ｓ２）。
【００３４】
ピンチローラー２の電動モーターが駆動を開始すると、ピンチローラー２が回転して粘着テープＴを引き込むため、テープドラム（図示せず）から粘着テープＴが連続して繰り出される。粘着テープＴはテープドラムから粘着テープ操出方向Ｙへ繰り出され、粘着テープ転向ガイド４によってピンチローラー２へ案内される。
【００３５】
ピンチローラー２は粘着テープＴの粘着面を谷折りにしながら、粘着テープＴの粘着面で容器Ｐの側端縁Ｐ２を挟み込んで圧着し、容器Ｐの側端縁Ｐ２に粘着テープＴを貼り付けて容器搬送方向Ｘに沿って送り出す。この時、容器Ｐの本体または蓋が第２検出部６の検出範囲に入ることで、制御部が第２検出部６からのＯＮ信号を受信する（Ｓ３）。
【００３６】
ピンチローラー２によって側端縁Ｐ２に粘着テープＴが貼り付けられた容器Ｐが図３（ｃ）に示す位置まで送り出されると、容器Ｐの本体または蓋が第１検出部５の検出範囲から外れることで、制御部が第１検出部５からのＯＦＦ信号を受信する（Ｓ４）。ＯＦＦ信号を受信した制御部は、ピンチローラー２の電動モーターの駆動を減速または停止させ（Ｓ５）、ノッチ付与部３の電動モーターを駆動させることでカッターを図３（ｃ）に示す位置まで前進させて（Ｓ６）、粘着テープＴに対して幅方向の一端から他端に達しないノッチを入れる。
【００３７】
ノッチ付与部３によって、幅方向の一端から他端に達しないノッチが入れられた粘着テープＴは、ピンチローラー２が減速または停止することで容器搬送方向Ｘの向きに働く容器Ｐの慣性力により粘着テープＴの長手方向に付与されるテンション、容器Ｐとコンベヤ７の間の摩擦力により粘着テープＴの長手方向に付与されるテンションもしくは容器搬送方向Ｘの上流側の容器Ｐ'がコンベヤ７によって搬送されることで、前端Ｐ'１が容器Ｐの後端Ｐ３に接触して搬送方向Ｘへ押す力により粘着テープＴの長手方向に付与されるテンションのうちの一つのテンションまたは二つ以上のテンションの組み合わせによって、ノッチ部分から破断することにより切断される（Ｓ７）。
【００３８】
粘着テープＴがノッチ部分で切断され、封緘製品となった容器Ｐが図３（ｄ）に示す位置まで搬送されると、容器Ｐの本体または蓋が第２検出部６の検出範囲から外れることで、制御部が第２検出部６からのＯＦＦ信号を受信する（Ｓ８）。ＯＦＦ信号を受信した制御部は、ノッチ付与部３の電動モーターを駆動することでカッターを図３（ｃ）に示す位置まで後退させる（Ｓ９）ことで、一つの封緘製品を製造するときの粘着テープ切断装置１の動作が完了する。
【００３９】
本実施の形態では、第２検出部６から送信されるＯＦＦ信号を受信するまでカッターを図３（ｃ）に示す位置まで後退させない構成としている。これにより、カッターを図３（ｃ）に示す位置まで前進させた時に粘着テープＴに弛みがあってノッチを入れられなかった場合でも、ピンチローラー２が減速または停止することで容器搬送方向Ｘの向きに働く容器Ｐの慣性力により粘着テープＴの長手方向に付与されるテンションや、容器Ｐとコンベヤ７の間の摩擦力により粘着テープＴの長手方向に付与されるテンションまたは容器搬送方向Ｘの上流側の容器Ｐ'の前端Ｐ'１が、コンベヤ７によって搬送されることにより容器Ｐの後端Ｐ３に接触して搬送方向Ｘへ押す力により粘着テープＴの長手方向に付与されるテンションによって弛みがなくなると、粘着テープＴがカッターに押し付けられることで、粘着テープＴの縁部にノッチを入れることができる。
【００４０】
また、第２検出部６を設ける代わりに、たとえばカッターが図３（ｃ）に示す位置まで前進した後、粘着テープＴの長手方向に生じるテンションによって弛みがなくなる所定の時間が経過してからカッターを後退させるようにしてもよい。なお、ノッチ付与部３のカッターをレーザーカッターのような、粘着テープＴに弛みがあっても確実にノッチを入れられるカッターにすれば、第２検出部６を設ける必要は無く、所定の時間が経過するまで待つ必要もない。
【００４１】
本実施の形態に係る粘着テープ切断装置１によって製造された封緘製品には、図３（ｄ）に示すように、粘着テープＴの粘着面が谷折りに圧着された摘み部Ｕが形成される。この摘み部Ｕは、消費者が容器Ｐから粘着テープＴを引き剥がすときに指で摘まみやすいように、側端縁Ｐ２から前方に１０mm〜２０mm程度の長さと、側端縁Ｐ２から後方に１０mm〜２０mm程度の長さとなっている。本実施の形態に係る粘着テープ切断装置１は、封緘に用いられる粘着テープＴの長さが、容器Ｐの全長よりも２０mm程度短くなるように第１検出部５の位置やノッチ付与部３の位置が決められているが、これに限らず、粘着テープＴの長さが、容器Ｐの全長と略等しくなるように、第１検出部５の位置やノッチ付与部３の位置を変えてもよい。
【００４２】
容器Ｐの封緘が完了すると、搬送方向Ｘの上流側に搬送されてきた後続の容器Ｐ'に対しても同様に粘着テープＴを用いた封緘が行われる。封緘が完了し、封緘製品となった容器Ｐ，Ｐ'は、コンベヤ７によって容器搬送方向Ｘの下流側へ搬送され、下流側に設けられた集合場所（図示せず）で、キャスター付きのラックや段ボール箱等に詰められて出荷される。
【００４３】
（第２の実施の形態）
以下、本発明の第２の実施の形態に係る粘着テープ切断装置２１について説明する。本実施の形態にかかる粘着テープ切断装置２１は、図５に示すように、容器Ｐを容器搬送方向Ｘへ搬送するコンベヤ７に設けられている。粘着テープ切断装置２１は、コンベヤ７によって搬送中の容器Ｐの本体または蓋を検出するための光学センサである第１検出部５および第２検出部６と、容器Ｐの側端縁Ｐ２に粘着テープＴを圧着し、粘着テープＴを容器搬送方向Ｘに沿って送り出してから減速または停止するピンチローラー２と、ピンチローラー２に送り出された粘着テープＴに幅方向の一端から他端に達しないノッチを入れるノッチ付与部３と、容器Ｐを容器搬送方向Ｘの下流側へ送り出す力を加える加力部材２８とを備えている。
【００４４】
なお、本実施の形態に係る粘着テープ切断装置２１に関する説明は、第１の実施の形態に係る粘着テープ切断装置１の説明と同一またはこれに対応する部分には同一の符号を付して、詳細な説明を省略する。
【００４５】
図５に示すように、本実施の形態に係る加力部材２８は、容器Ｐを容器搬送方向Ｘの下流側へ送り出すための４つのローラーで構成されている。それぞれのローラーには電動モーターによる駆動機構（図示せず）が設けられており、容器Ｐに対してヒンジＰ４および側端縁Ｐ２の両側から容器Ｐを挟み込んで容器搬送方向Ｘの下流側へ送り出す力を加える。
【００４６】
粘着テープ切断装置２１は、加力部材２８を備えることにより、たとえば容器Ｐに詰められた物品の重量が非常に軽く、容器Ｐに働く慣性力や、容器Ｐとコンベヤ７の間の摩擦力、容器搬送方向Ｘの上流側の容器Ｐ'がコンベヤ７によって搬送されることで、前端Ｐ'１が容器Ｐの後端Ｐ３に接触して搬送方向Ｘへ押す力が弱い場合などであっても、粘着テープＴをノッチ部分から破断させて切断するためのテンションを付与することができる。すなわち、本実施の形態では加力部材２８がテンション付与部として作用している。
【００４７】
本実施の形態に係る加力部材２８は、４つのローラーで構成されているが、粘着テープＴの長手方向にテンションを付与する機能を有していればよいので、たとえばローラーの数を増減させてもよいし、ローラー以外の機構でもよい。また、ローラー等の代わりに、容器Ｐの蓋に対して上方から押さえつける方向に力を加えるガイドを設けることで、容器Ｐとコンベヤ７の間の摩擦力を大きくして粘着テープＴの長手方向にテンションを付与する構成としてもよい。
【００４８】
さらに、容器Ｐに力を加えるだけでなく、直接、粘着テープＴに搬送方向Ｘへの力を加えてもよい。たとえば、ピンチローラー２およびノッチ付与部３の容器搬送方向Ｘの下流側に他のピンチローラーを設け、粘着テープＴにノッチが入れられた後にピンチローラー２よりも速い速度で他のピンチローラーを駆動させることで、粘着テープＴに搬送方向Ｘへの力を加えることができる。
【００４９】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００５０】
本発明は、連続して繰り出される粘着テープを用いた封緘製品の製造に有効に利用される。
【符号の説明】
【００５１】
１，２１  粘着テープ切断装置
２  ピンチローラー
３  ノッチ付与部
４  粘着テープ転向ガイド
５  第１検出部
６  第２検出部
７  コンベヤ
２８  加力部材
Ｐ  容器
Ｐ１  前端
Ｐ２  側端縁
Ｐ３  後端
Ｐ４  ヒンジ
Ｔ  粘着テープ
Ｕ  摘み部
Ｘ  容器搬送方向
Ｙ  粘着テープ操出方向
【図１】
2019089569.tif 000003
【図２】
2019089569.tif 000004
【図３】
2019089569.tif 000005
【図４】
2019089569.tif 000006
【図５】
2019089569.tif 000007
【図６】
2019089569.tif 000008
【図７】
2019089569.tif 000009